(57)【要約】  【課題】ユニットカバーの装着性を向上させて、空調ユニットの組み立て作業性を高め、組み立て工数を削減する。  【解決手段】熱交換ユニット部２の分割面を高さ方向において略中央に設け、底ケース５の深さを深くして、底ケース５を、組立て時における圧縮機８、放熱器９、吸熱器１０の固定治具として使用し、さらに、アキュームレータ１１と配管１２ｂの接続部１２ｃ近傍の分割面だけ低くすることにより、底ケース５上に吸熱器１０、放熱器９、圧縮機８を設置した状態で溶接ができるようにし、さらに上ケース４の高さを低くして底ケース５と上ケース４の重ね合わせ作業を容易とした。【選択図】図２
2010057695.tif 000002
【特許請求の範囲】
【請求項１】
循環空気の導入口および循環空気の排出口を持ったユニットケース内に、前記導入口から前記排出口への通風路途中に位置して循環空気を除湿し乾燥させる吸熱器および放熱器と、前記吸熱器および前記放熱器に冷媒を循環させる圧縮機とを内蔵した空調ユニットにおいて、前記ユニットケースは、上下方向で、かつ高さ方向において略中央で分割された、相対する上ケースと底ケースを具備し、下方に位置する前記底ケースに、吸熱器設置部、放熱器設置部、および圧縮機設置部を形成し、さらに、前記圧縮機設置部における前記底ケースの外郭を形成する角部に、前記圧縮機に接続されたアキュームレータの配置部を形成し、前記吸熱器を前記吸熱器設置部に、前記放熱器を前記放熱器設置部にそれぞれ設置し、また、前記圧縮機を前記アキュームレータが前記配置部に位置した状態となるように前記圧縮機設置部に配置した空調ユニット。
【請求項２】
前記上ケースと前記底ケースの分割面において、前記アキュームレータを挟む角部の二辺における前記アキュームレータ近傍を、中央分割面より下方となるように形成した請求項１に記載の空調ユニット。
【請求項３】
前記底ケースにおける前記アキュームレータの配置部に、該アキュームレータの設置位置を示す表示部を設けた請求項１または請求項２に記載の空調ユニット。
【請求項４】
前記アキュームレータの配置部を、前記底ケース底面よりも床高とした請求項１から請求項３のいずれか一項に記載の空調ユニット。
【請求項５】
前記底ケースの材料に、耐熱性プラスチックもしくは難燃性プラスチックを用いた請求項１から請求項４のいずれか一項に記載の空調ユニット。
【請求項６】
循環空気の導入口および循環空気の排出口を持ったユニットケース内に、前記導入口から前記排出口への通風路途中に位置して循環空気を除湿し乾燥させる吸熱器および放熱器と、前記吸熱器および前記放熱器に冷媒を循環させる圧縮機とを内蔵した空調ユニットにおいて、前記ユニットケースは、上下方向で、かつ高さ方向において略中央で分割された、相対する上ケースと底ケースを具備し、下方に位置する前記底ケースは、吸熱器設置部、放熱器設置部、および圧縮機設置部をそれぞれ有しており、さらに、前記圧縮機に接続されたアキュームレータの配置部を、前記圧縮機設置部における前記底ケースの外郭を形成する角部に形成し、前記吸熱器を前記吸熱器設置部に、前記放熱器を前記放熱器設置部に、前記圧縮機を前記圧縮機設置部にそれぞれ設置した後に、少なくとも前記圧縮機に接続されたアキュームレータと前記吸熱器を接続する配管を溶接して冷凍サイクルを形成し、前記底ケースの上から前記上ケースを重ね合わせた空調ユニットの組立て方法。
【請求項７】
前記上ケースと前記底ケースの分割面において、前記アキュームレータを挟む角部の二辺における前記アキュームレータ近傍を、中央分割面より下方となるように形成した請求項６に記載の空調ユニットの組立て方法。
【請求項８】
前記底ケースにおける前記アキュームレータの配置部に、該アキュームレータの設置位置を示す表示部を設け、前記表示部に沿って前記アキュームレータを配置した請求項６または請求項７に記載の空調ユニットの組立て方法。
【発明の詳細な説明】
【技術分野】
【０００１】
本発明は、ヒートポンプ装置の熱交換作用を利用して衣類等の乾燥を行うドラム式洗濯乾燥機等の機器に搭載され、循環空気を空調する空調ユニットおよびその組立て方法に関するものである。
【背景技術】
【０００２】
近年、この種の空調ユニットの一例として洗濯乾燥機が知られている。そして、その洗濯乾燥機の乾燥手段として、従来の電気ヒータに代わり、ヒートポンプ技術を応用した乾燥方法が提案され、注目されている（例えば、特許文献１参照）。
【０００３】
図６は、上記特許文献１に記載された従来の空調ユニットを示すものである。図６に示すように、空調ユニット４０は、ユニットケース４１を構成する上ケース４３と底ケース４２を具備し、底ケース４２内には、圧縮機４７、吸熱器４８、放熱器４９が固定されている。この底ケース４２はその周縁部と嵌合させて上ケース４３がネジ５２にてパッキング部材を介在させて取り付け固定され、上ケース４３の後面開放部位を流路蓋４４によってパッキング部材を介在させてネジ５３にて固定することにより、後面開放部位は閉じられて加熱された空気を排気口５１から排気接続管４６に送る加熱空気送風路４５が形成される。前記加熱空気送風路４５の下流端には、排気接続管４６を連結する連結筒４６ａが形成されている。また、上ケース４３における連結筒４６ａとの対角位置には、高湿度の空気が流れ込む吸気口５０が設けられている。
【０００４】
そして、圧縮機４７、放熱器４９、減圧装置（図示せず）、吸熱器４８を配管で接続することにより、冷凍サイクルが構成されている。
【０００５】
以上のように構成された空調ユニットについて、以下その動作を説明する。
【０００６】
まず、洗濯槽（図示せず）内から循環してくる高湿の空気は、吸気口５０からユニットケース４１内へ流れ込み、吸熱器４８によって除湿され、その後、放熱器４９により加熱され、高温、低湿の空気として排気口５１から加熱空気送風路４５を通過し、連結筒４６ａに連結された排気接続管４６を介して再び洗濯槽内に循環される。そして、この空気の循環流により、衣類等を乾燥させるものである。
【０００７】
この方式は、従来の電気ヒータによる乾燥よりも、高いエネルギー効率と、より低温、低湿の空気による乾燥であるため、乾燥後における衣類等のしわの低減や、生地の傷みが少ない。
【０００８】
また、空調ユニット４０は、吸熱器４８、放熱器４９、圧縮機４７を、深さが浅い底ケース４２に搭載した状態で底ケース４２に固定し、配管を溶接して、冷凍サイクル７を形成させた後、真空引き作業、冷媒封入作業等を行い、その後に、深さが深い上ケース４３を被せて重ね合わせていた。
【特許文献１】特許第３９２０２９９号公報
【発明の開示】
【発明が解決しようとする課題】
【０００９】
しかしながら、上記従来の構成は、上ケース４３の深さが深いため、吸熱器４８、放熱器４９、圧縮機４７を目視しない状態で上ケース４３を底ケース４２に被せる際の移動距離が長く、その結果、吸熱器４８、放熱器４９、圧縮機４７の配置構成を精度よく維持しながら被せることが困難となり、組み立て作業がしづらく、時間がかかるという課題を有していた。
【００１０】
本発明は、上記従来の課題を解決するもので、ユニットケースを組み立てるときに、組立て作業がし易く、組立て時間の短縮化がはかれる空調ユニットを提供することを目的とするものである。
【課題を解決するための手段】
【００１１】
上記従来の課題を解決するために、本発明の空調ユニットは、循環空気の導入口および循環空気の排出口を持ち、内部に前記循環空気を除湿し乾燥させる吸熱器および放熱器と、前記吸熱器および前記放熱器に冷媒を循環させる圧縮機を配置したユニットケースを、上下方向で、かつ高さ方向において略中央で分割された、相対する上ケースと底ケースより構成し、前記底ケースに、吸熱器設置部、放熱器設置部、および圧縮機設置部を形成し、さらに、前記圧縮機設置部における前記底ケースの外郭を形成する角部に、前記圧縮機に接続されたアキュームレータの配置部を形成し、前記吸熱器を前記吸熱器設置部に、前記放熱器を前記放熱器設置部に、前記圧縮機を前記圧縮機設置部にそれぞれ設置し、また、前記圧縮機を前記アキュームレータが前記配置部に位置した状態となるように配置したものである。
【００１２】
かかる構成によれば、前記底ケースに吸熱器、放熱器、圧縮機それぞれの設置部を形成することにより、吸熱器、放熱器、圧縮機の配置を一義的に設定することが可能となり、組立て作業性を向上することができる。
【００１３】
また、前記ユニットケースの分割面を、該ユニットケースの高位部（高さ方向において略中央）に形成しているため、底ケース内の構成を目視しない状態で上ケースを底ケースに被せる際の移動距離が短くなり、その結果、吸熱器、放熱器、圧縮機等の配置構成を精度よく維持しながらのケースの重ね合わせが容易となり、組立て作業性をさらに向上することができる。
【００１４】
さらに、前記圧縮機の一義的な配置に伴い、ユニットケースのデッドスペースとなり易いユニットケースの角部にアキュームレータを配置することができ、スペースの有効利用と空調ユニットの小型化を可能とするものである。
【００１５】
また、本発明の空調ユニットの組立て方法は、循環空気の導入口および循環空気の排出口を持ち、内部に前記循環空気を除湿し乾燥させる吸熱器および放熱器と、前記吸熱器および前記放熱器に冷媒を循環させる圧縮機を配置したユニットケースを、上下方向で、かつ高さ方向において略中央で分割された、相対する上ケースと底ケースより構成し、さらに、下方に位置する前記底ケースを、吸熱器設置部、放熱器設置部、および圧縮機設置部をそれぞれ有し、また、前記圧縮機設置部における前記底ケースの外郭を形成する角部に、前記圧縮機に接続されたアキュームレータの配置部を形成した構成とし、前記吸熱器を前記吸熱器設置部に、前記放熱器を前記放熱器設置部に、前記圧縮機を前記圧縮機設置部にそれぞれ設置した後に、少なくとも前記圧縮機に接続されたアキュームレータと前記吸熱器を接続する配管を溶接して冷凍サイクルを形成し、前記底ケースの上から前記上ケースを重ね合わせるものである。
【００１６】
かかる方法によれば、前記底ケースを、圧縮機、吸熱器、放熱器等の被溶接体の固定治具として利用でき、前記圧縮機、吸熱器、放熱器等をそれぞれの設置部に設置した状態で溶接作業ができる。しかも、底ケースは、深さが深いため、前記圧縮機、吸熱器、放熱器等の被溶接体の設置状態が安定し、溶接作業がやり易く、作業性を向上することができる。
【００１７】
また、前記ユニットケースの分割面を、該ユニットケースの高位部（高さ方向において略中央）に形成しているため、底ケース内の構成を目視しない状態で上ケースを底ケースに被せる際の移動距離が短くなり、その結果、吸熱器、放熱器、圧縮機等の配置構成を精度よく維持しながらのケースの重ね合わせが容易となり、組立て作業性をさらに向上することができる。
【発明の効果】
【００１８】
本発明の空調ユニットは、吸熱器、放熱器、圧縮機の配置を一義的に設定することが可能となり、底ケースへの配置作業が容易となる。また、前記ユニットケースの分割面を、該ユニットケースの高位部に形成していることに伴い、冷凍システムを形成する配管の接続作業等が容易となる。また、底ケース内の構成を目視しない状態で上ケースを底ケースに被せる際の移動距離が短くなり、その結果、吸熱器、放熱器、圧縮機等の配置構成を精度よく維持しながらのケースの重ね合わせが容易となり、組立て作業性を向上し、組立て時間の短縮化を可能とすることができる。
【００１９】
さらに、前記圧縮機の一義的な設置に伴い、ユニットケースのデッドスペースとなり易いユニットケースの角部にアキュームレータを配置することができ、スペースの有効利用と空調ユニットの小型化を可能とするものである。
【発明を実施するための最良の形態】
【００２０】
請求項１に記載の発明は、循環空気の導入口および循環空気の排出口を持ったユニットケース内に、前記導入口から前記排出口への通風路途中に位置して循環空気を除湿し乾燥させる吸熱器および放熱器と、前記吸熱器および前記放熱器に冷媒を循環させる圧縮機とを内蔵した空調ユニットにおいて、前記ユニットケースは、上下方向で、かつ高さ方向において略中央で分割された、相対する上ケースと底ケースを具備し、下方に位置する前記底ケースに、吸熱器設置部、放熱器設置部、および圧縮機設置部を形成し、さらに、前記圧縮機設置部における前記底ケースの外郭を形成する角部に、前記圧縮機に接続されたアキュームレータの配置部を形成し、前記吸熱器を前記吸熱器設置部に、前記放熱器を前記放熱器設置部にそれぞれ設置し、また、前記圧縮機を前記アキュームレータが前記配置部に位置した状態となるように前記圧縮機設置部に配置したものである。
【００２１】
かかる構成とすることにより、前記底ケースに吸熱器、放熱器、圧縮機それぞれの設置部を形成していることから、吸熱器、放熱器、圧縮機の設置を一義的に行うことが可能となり、組立て作業性を向上することができる。
【００２２】
また、前記ユニットケースの分割面を、該ユニットケースの高位部（高さ方向において略中央）に形成しているため、深さの深い底ケースによる吸熱器、放熱器および圧縮機の支持面積を大きく形成することができ、これらを安定して底ケースに支持することができるとともに、上ケースを底ケースに被せる際において、底ケース内の構成を目視しない状態での上ケースの移動距離が短くなることから、ユニットケースにおける吸熱器、放熱器、圧縮機等の配置構成を精度よく維持しながらの重ね合わせが容易となり、組立て作業性をさらに向上し、組立て時間を短縮することができる。
【００２３】
さらに、前記圧縮機の一義的な設置に伴い、ユニットケースのデッドスペースとなり易いユニットケースの角部にアキュームレータを配置することができ、スペースの有効利用と空調ユニットの小型化を可能とするものである。
【００２４】
請求項２に記載の発明は、請求項１に記載の発明において、前記上ケースと前記底ケースの分割面において、前記アキュームレータを挟む角部の二辺における前記アキュームレータ近傍を、中央分割面より下方となるように形成したものである。
【００２５】
かかる構成とすることにより、ユニットケースの分割時において前記アキュームレータの露出が大きくなり、前記圧縮機を底ケースに設置した状態でアキュームレータと配管の溶接が可能となり、組立て作業性を向上することができる。
【００２６】
請求項３に記載の発明は、請求項１または請求項２に記載の発明において、前記底ケースにおける前記アキュームレータの配置部に、該アキュームレータの設置位置を示す表示部を設けたものである。
【００２７】
かかる構成とすることにより、予め圧縮機に接続されたアキュームレータの位置を定義することができ、その結果、アキュームレータと圧縮機の位置決めが同時に行え、配置のずれが防止でき、吸熱器とアキュームレータを接続する配管の位置設定も一義的となる。したがって、一律仕様の配管の溶接が可能となり、組立て作業性をさらに向上することができる。
【００２８】
請求項４に記載の発明は、請求項１から請求項３のいずれか一項に記載の発明において、前記アキュームレータの配置部を、前記底ケース底面よりも床高としたものである。
【００２９】
かかる構成とすることにより、前記アキュームレータと前記表示部との距離が近くなり、表示部を目視し易く、その結果、前記アキュームレータの位置の精度が高まり、組立て性が向上する。換言すると、前記表示部と前記アキュームレータの距離が離れると、表示部がアキュームレータで隠れ易くなり、作業性の向上が期待できないが、前記アキュームレータと前記表示部との距離を近くすることにより、前述の隠れ易さが改善できるものである。
【００３０】
請求項５に記載の発明は、請求項１から請求項４のいずれか一項に記載の発明において、前記底ケースの材料に、耐熱性プラスチックもしくは難燃性プラスチックを用いたものである。
【００３１】
かかることにより、圧縮機、吸熱器、放熱器を底ケースに設置した状態で冷却サイクルをつなぐ配管の溶接時において、溶接に伴って発生する熱が、底ケースに伝わり、また、溶接バーナーの火が底ケースに接触しても、底ケースの熱変形を防ぐことができ、また、組立て時やサービスメンテナンス時の火災による災害を防ぐことができる。
【００３２】
請求項６に記載の発明は、循環空気の導入口および循環空気の排出口を持ったユニットケース内に、前記導入口から前記排出口への通風路途中に位置して循環空気を除湿し乾燥させる吸熱器および放熱器と、前記吸熱器および前記放熱器に冷媒を循環させる圧縮機とを内蔵した空調ユニットにおいて、前記ユニットケースは、上下方向で、かつ高さ方向において略中央で分割された、相対する上ケースと底ケースを具備し、下方に位置する前記底ケースは、吸熱器設置部、放熱器設置部、および圧縮機設置部をそれぞれ有しており、さらに、前記圧縮機に接続されたアキュームレータの配置部を、前記圧縮機設置部における前記底ケースの外郭を形成する角部に形成し、前記吸熱器を前記吸熱器設置部に、前記放熱器を前記放熱器設置部に、前記圧縮機を前記圧縮機設置部にそれぞれ設置した後に、少なくとも前記圧縮機に接続されたアキュームレータと前記吸熱器を接続する配管を溶接して冷凍サイクルを形成し、前記底ケースの上から前記上ケースを重ね合わせた空調ユニットの組立て方法である。
【００３３】
かかる方法によれば、前記底ケースを、被溶接接続体（圧縮機、吸熱器、放熱器）の固定治具として利用でき、しかも、吸熱器、放熱器、圧縮機の設置を一義的に行うことができることと合わせて底ケースの深さが深いため、前記被溶接接続体の設置が安定し、溶接し易い作業環境を形成することができる。その結果、作業性が向上し、また、深さが浅い上ケースの底ケースへの被せ作業も、吸熱器、放熱器、圧縮機等の配置構成を精度よく維持しながら容易に行うことができ、組立て時間の短縮化をはかることができる。
【００３４】
さらに、前記圧縮機の一義的な設置に伴い、ユニットケースのデッドスペースとなり易いユニットケースの角部にアキュームレータを配置することができ、スペースの有効利用に伴う空調ユニットの小型化と、作業性の向上を両立することができる。
【００３５】
請求項７に記載の発明は、請求項６に記載の発明において、前記上ケースと前記底ケースの分割面において、前記アキュームレータを挟む角部の二辺における前記アキュームレータ近傍を、中央分割面より下方となるように形成したものである。
【００３６】
かかることにより、ユニットケースの分割状態では、アキュームレータを大きく露出させることができ、その結果、前記圧縮機を底ケースに設置した状態でのアキュームレータと配管の溶接作業環境を改善することができ、溶接作業の作業性を向上することができる。
【００３７】
請求項８に記載の発明は、請求項６または請求項７に記載の発明において、前記底ケースにおける前記アキュームレータの配置部に、該アキュームレータの設置位置を示す表示部を設け、前記表示部に沿って前記アキュームレータを配置したものである。
【００３８】
かかることにより、予め圧縮機に接続されたアキュームレータの位置を定義し、アキュームレータと圧縮機の位置決めを同時に行うことができ、蒸発器とアキュームレータを接続する配管の位置決めも容易となり、配管の溶接作業を容易にして組立て作業性を向上することができる。
【００３９】
以下、本発明の実施の形態について、図面を参照しながら説明する。なお、この実施の形態によってこの発明が限定されるものではない。
【００４０】
（実施の形態１）
図１は、本発明の実施の形態１における空調ユニットの概略斜視図である。図２は、同実施の形態１における空調ユニットの上ケースを透視した異なる角度からの概略斜視図である。図３は、同実施の形態１における空調ユニットの側面図である。図４は、同実施の形態１における空調ユニットを構成する底ケースの平面図である。図５は、同実施の形態１における底ケースの要部の平面図である。
【００４１】
図１乃至図５において、空調ユニット１は、熱交換ユニット部（本発明のユニットケースに相当）２を主体としており、その側部には、熱交換ユニット部２内に取り込んだ空気を排出する送風ユニット部３を空調ユニット１の付帯機器として具備している。そして、熱交換部２の外郭は、上下方向に分割可能な上ケース４と底ケース５より構成されている。この上ケース４と底ケース５は、合成樹脂の金型成型によって形成されるものであり、少なくとも底ケース５は、耐熱性ポリカーボネート樹脂、難燃性ＡＢＳ樹脂等の耐熱性もしくはＵＬ９４Ｖ０クラスの難燃性の合成樹脂より形成されている。
【００４２】
また、上ケース４と底ケース５の分割面は、熱交換ユニット部２の高さ方向において、略中央部となるように設定されているが、一つの角部６においては、その二辺で形成される分割面がその中央分割面より若干下方となるように、傾斜部７が形成されている。この傾斜部７の傾斜角度は、任意に設定できるもので、略真下に下降する段差状態とすることもできる。
【００４３】
そして、熱交換ユニット部２の内部には、冷凍サイクルを構成する圧縮機８、放熱器９、減圧手段（図示せず）、吸熱器１０、およびアキュームレータ１１が配置され、これらは、適宜配管１２ａ、１２ｂによって冷媒循環回路が形成されるように連結されている。
【００４４】
また、これらは、底ケース５に載置固定される構成を基本としているため、底ケース５の底面５ｄには、凸状のリブおよび端部の平面部で形成した吸熱器１０を設置するための吸熱器設置部５ａと、同じく凸状のリブおよび端部の平面部で形成した放熱器９を設置するための放熱器設置部５ｂと、底ケース５の角部６に近い位置で、底ケース５の底面５ｄよりもさらに下方に位置する有底状の凹部で形成した圧縮機８を設置するための圧縮機設置部５ｃが設けられている。
【００４５】
ここで、圧縮機８は、底部に固定用の脚部を設けた構成ではなく、器状に形成された防振ゴム（図示せず）を該底部に被せ、圧縮機設置部５ｃ内に嵌め込まれる構成となっている。したがって、圧縮機８の圧縮機設置部５ｃにおける設置状態は、上下方向の軸を中心に回動が可能な状態となっている。また、圧縮機８の振動は、前記防振ゴムによって緩和（吸収）される。
【００４６】
そして、アキュームレータ１１は、圧縮機８の設置に伴い、角部６のコーナに位置し、分割面を形成する傾斜部７によって角部６における底ケース５の開口端縁（分割面）が下方に位置していることから、アキュームレータ１１と配管１２ｂの接続部（ロウ付け部）１２ｃが角部６の開口端縁よりも高い位置となっている。
【００４７】
さらに、圧縮機設置部５ｃの周辺平面における角部６には、圧縮機設置部５ｃよりも床高となっているアキュームレータ１１の配置部５ｇが設けられており、この配置部５ｇには、アキュームレータ１１の位置を定義する位置決めリブ（本発明の表示部に相当）５ｅが複数設けられている。この位置決めリブ５ｅの高さは、図５に示す如く、平面からの目視でアキュームレータ１１の位置が確認できる程度であればよいが、アキュームレータ１１の下部を挟み込む高さとすることもできる。さらに、単なる表示機能であれば、リブとする必要はなく、アキュームレータ１１の輪郭（輪郭の一部も含む）が沿うマークあるいはシール等の他の手段で形成することもでき、その数も複数とする必要はない。
【００４８】
また、アキュームレータ１１は、予め配管１２ｄを介して圧縮機８と連結（図５）されているため、この位置決めリブ５ｅによるアキュームレータ１１の位置決めは、圧縮機８の位置決めも同時に行うものである。したがって、アキュームレータ１１の位置決めリブ５ｅに代えて圧縮機８の位置決めを行い、アキュームレータ１１の位置を特定することもできる。
【００４９】
さらに、底ケース５の一側には、送風ユニット部３が連結される連結部１３が設けられている。この送風ユニット部３のための連結部１３は、上ケース４にも設けられており、上ケース４と底ケース５の嵌合状態において空洞状の通路（本発明の排出口に相当し、図示せず）が形成される。そして、この通路に送風ユニット部３の空気取入れ口（図示せず）が適宜手段にて連結される構成となっている。
【００５０】
ここで、放熱器９と吸熱器１０は、その出口と入口が減圧手段を介して接続されていることから、連続する冷媒流路を形成しており、形態を同一のフィンチューブ型熱交換器とし、一端に設けられた端板１４あるいはフィン１４ａを共有することによって、前記減圧手段を具備する状態で一体化された構成となっている。その結果、吸熱器設置部５ａと放熱器設置部５ｂは隣接し、また、吸熱器１０が風上側となるように設定されている。そして、放熱器９と吸熱器１０での冷媒流路形成において、放熱器９の入口９ａと、吸熱器１０の出口１０ａは、それぞれの上部に位置するように設定されている。
【００５１】
さらに、一体化された放熱器９と吸熱器１０の位置決め固定をより容易とするために、放熱器設置部５ｂの一側端部に放熱器９の一側端と高さ方向において当接する当接リブ５ｉが形成されている。したがって、一体化された放熱器９と吸熱器１０における一側端部の移動は、当接リブ５ｉとの当接によって規制され、さらに位置決めも当接リブ５ｉとの当接によって行うことができる。
【００５２】
また、上ケース４と底ケース５には、その嵌合状態において、熱交換ユニット部２の内部を圧縮機設置部５ｃと、吸熱器１０と放熱器９が位置する風路部（本発明の通風路に相当）１５に仕切る壁部５ｆが設けられており、さらに、放熱器９と吸熱器１０の端板１４を、この壁部５ｆに設けられた溝５ｈに嵌合することにより、圧縮機設置部５ｃと風路部１５の仕切り区画をより確実としている。
【００５３】
また、上ケース４の上面の一端には、空気を導入する導入口１６が設けられており、さらに、上ケース４と底ケース５の嵌合状態においては、上ケース４は必要に応じてシール材（図示せず）を介する等してその内面が放熱器９と吸熱器１０の上端面と当接状態にある。
【００５４】
したがって、前述の壁部５ｆによる圧縮機設置部５ｃと風路部１５の仕切り区画と、この上ケース４内面の放熱器９と吸熱器１０の上端面との当接構成により、導入口１６から導入された空気は、風路部１５を流れることになり、吸熱器１０と放熱器９を通過する。
【００５５】
また、一体化された放熱器９と吸熱器１０は、端板１４の溝５ｈの嵌合と、当接リブ５ｉと放熱器９の当接によって両端が固定された状態にあるため、移動することもない。
【００５６】
さらに、送風ユニット部３は、外郭を形成するケース部２０と、このケース部２０内に設けられたファン（図示せず）と、前記ファンを駆動するモータ（図示せず）より構成され、ケース部２０は、前記ファンの吸入側となる開口部（図示せず）が、熱交換ユニット部２（上ケース４および底ケース５）の一側端に設けられた連結部１３と連通している。また、ケース部２０における前記ファンの吐出側には、熱交換ユニット部２からの空気を排出する吐出口２１が設けられている。
【００５７】
次に、上記構成からなる空調ユニット１による空気の流れについて説明する。この場合、熱交換ユニット部２の圧縮機８と送風ユニット部３のファンを駆動するモータが同時に運転されているものとして説明するが、それぞれの運転に時差等の変化を設けることもできるものである。
【００５８】
熱交換ユニット部２内においては、圧縮機８の運転により、放熱器９が高温状態にあり、吸熱器１０は低温状態にある。
【００５９】
そして、送風ユニット部３が運転されると、矢印で示す如く導入口１６から導入された空気は、風路部１５へ流入し、風上側にある吸熱器１０を通過する際に冷却され、空気中の水分が吸熱器１０のフィン１４ａに結露し、除湿された状態で放熱器９を通過する。このとき、空気は加熱され、その温度が上昇することに伴って、相対湿度がさらに低下し、高温低湿の空気となって送風ユニット部３へ流れ、矢印で示す如く吐出口２１から排出される。
【００６０】
上述の空気の流れを連続することにより、導入口１６から導入された空気を吐出口２１より高温低湿の空気として排出することができる。
【００６１】
したがって、導入口１６から導入される空気を、洗濯終了後の衣類等のような被乾燥物が収納された収納部（図示せず）の空気とし、吐出口２１から排出された空気を前記収納部に供給して循環させる構成とすることにより、被乾燥物の乾燥装置として構成することができる。
【００６２】
次に、空調ユニット１の組立てについて説明する。本実施の形態１においては、組立作業において、特に発明と関連する圧縮機８、放熱器９、吸熱器１０の配置作業と、溶接作業を主体に説明する。
【００６３】
まず、底ケース５の吸熱器設置部５ａおよび放熱器設置部５ｂに、一体化された放熱器９と吸熱器１０を、吸熱器１０が風上側となるように設置する。この状態においては、端板１４が壁部５ｆに設けた溝５ｈに嵌合し、放熱器９の他端部が当接リブ５ｉに当接しているため、放熱器９と吸熱器１０は、正規の位置にあり、ほとんど動くことはない。
【００６４】
次に、圧縮機設置部５ｃに防振ゴムを取付けた圧縮機８を設置し、その位置確認を行う。前記位置確認は、予め連結されたアキュームレータ１１が、配置部５ｇに設けた両端の位置決めリブ５ｅに沿って間に位置しておれば正規の配置状態にあり、位置がずれている場合は、圧縮機８を回転させて正規の配置関係に修正移動すればよい。この状態で圧縮機８は適宜手段にて固定されるが、本実施の形態１においては、圧縮機設置部５ｃを有底筒状としているため、単なる圧縮機８の設置状態であっても、前記防振ゴムと圧縮機設置部５ｃの摩擦、および前記防振ゴムと圧縮機８との摩擦によって圧縮機８の移動がある程度規制でき、最終の固定は、後述する配管１２ａ、１２ｂのロウ付けによって行うこととなる。
【００６５】
換言すると、底ケース５は、分割面を高位（熱交換ユニット部２の高さ方向において略中央部）としたことにより、ある程度の深さを有しているため、溶接時における圧縮機８、放熱器９、吸熱器１０の固定を行う治具を兼ねた構成となっている。
【００６６】
そして、それぞれの位置に配置された圧縮機８と、放熱器９と吸熱器１０の配管接続は、予め所定の長さ、および所定の形状に曲げ加工された配管１２ａ、１２ｂによって行われる。すなわち、圧縮機８の吐出管８ａ（図２）と放熱器９の入口９ａを、配管１２ａを介してロウ付け接続し、吸熱器１０の出口１０ａとアキュームレータ１１の接続部１２ｃを、配管１２ｂを介してロウ付け接続することにより、所定の冷凍サイクルが形成され、同時に圧縮機８の固定も終了する。
【００６７】
上述の配管１２ａ、１２ｂのロウ付け接続において、配管１２ａの接続作業は、底ケース５の開放側で行うため、底ケース５はロウ付けの際の熱の影響を受けることは少ないが、配管１２ｂの特に接続部１２ｃとの接続においては、底ケース５の分割面となる縁が接近した状態になり易い。かかる場合においても、本実施の形態１においては、その角部６に傾斜部７を設けて、角部６の二辺（分割面の一部）が他の分割面よりも低い位置となるように形成しているため、アキュームレータ１１の近くにおいては、底ケース５の分割面からアキュームレータ１１の上部が突出した状態にある。したがって、接続部１２ｃの近辺における底ケース５の分割面は、ロウ付け時の熱の影響を直接受けることが回避でき、底ケース５の材料特定（耐熱性樹脂製あるいは難燃性樹脂製であること）とあわせてロウ付け時の熱変形、あるいは溶接バーナーの火炎による焦げつき等を抑制することができる。
【００６８】
ロウ付け作業が終了した後は、上ケース４を被せる作業となるが、この場合においても、分割面が比較的高位にあるため、上ケース４の放熱器９、吸熱器１０、圧縮機８等を被せた状態での移動距離が短いことから、上ケース４と放熱器９、吸熱器１０、圧縮機８等との干渉リスクも少なくなり、特に、上ケースにおける端板１４を嵌め込む溝（底ケース５の壁部５ｆに設けた溝５ｈに相当）のように目視で確認できない箇所との位置ずれも抑制でき、上ケース４と底ケース５の嵌合の作業性を高めることができる。
【００６９】
そして、上ケース４と底ケース５の嵌合状態においてねじ止め等の適宜手段で両者が分離しないようにし、最後に付帯機器である送風ユニット部３を取付けることにより、組立てが完了する。
【００７０】
以上のように、本実施の形態１における空調ユニット１は、吸熱器１０、放熱器９、圧縮機８それぞれの設置部５ａ、５ｂ、５ｃを底ケース５に形成しているため、吸熱器１０、放熱器９、圧縮機８それぞれの配置を一義的に設定することが可能となり、底ケース５への配置作業が容易となる。また、上ケース４と底ケース５の分割面を、熱交換ユニット部２の高位部に形成していることに伴い、底ケース５の深さを深くして吸熱器１０、放熱器９、圧縮機８と、壁部５ｆの溝５ｈ、当接リブ５ｉ、圧縮機設置部５ｃとの接触支持面積を大きく形成している。その結果、底ケース５を、吸熱器１０、放熱器９、圧縮機８の固定治具として利用でき、それぞれが動き難く、冷凍システムを形成する配管１２ａ、１２ｂの接続作業等が容易となる。また、底ケース５内の構成を目視しない状態で上ケース４を底ケース５に被せる際の移動距離が短くなり、吸熱器１０、放熱器９、圧縮機８等の配置構成を精度よく維持しながらの上ケース４と底ケース５の重ね合わせ作業が容易となる。その結果、組立て作業性を向上し、組立て時間の短縮化を可能とすることができる。
【００７１】
さらに、圧縮機８の一義的な設置に伴い、デッドスペースとなり易い熱交換ユニット部２の角部６にアキュームレータ１１を配置することができ、スペースの有効利用と空調ユニット１の小型化がはかれるものである。
【００７２】
さらに、上ケース４と底ケース５の分割面において、アキュームレータ１１を挟む角部６の二辺におけるアキュームレータ１１の近傍を、傾斜部７を設けて中央分割面より下方となるように形成したことにより、上ケース４の取付け前状態において、アキュームレータ１１の露出が大きく、その結果、圧縮機８を底ケース５に設置した状態でアキュームレータ１１と配管１２ｂの溶接が可能となり、組立て作業性を向上することができる。
【００７３】
また、底ケース５におけるアキュームレータ１１の配置部５ｇに、該アキュームレータ１１の設置位置を示す位置決めリブ５ｅを設けたことにより、予め圧縮機８に接続されたアキュームレータ１１の位置を定義することができる。その結果、アキュームレータ１１と圧縮機８の位置決めが同時に行え、配置ずれが防止でき、吸熱器１０とアキュームレータ１１を接続する配管１２ｂの位置設定も一義的となる。したがって、一律仕様の配管の溶接が可能となり、組立て作業性をさらに向上することができる。
【００７４】
さらに、アキュームレータ１１の配置部５ｇを、底ケース５の底面５ｄよりも床高としたことにより、アキュームレータ１１と位置決めリブ５ｅとの距離が近くなり、位置決めリブ５ｅが目視し易くなる。その結果、アキュームレータ１１の位置の精度が高まり、組立て性が向上する。
【００７５】
また、底ケース５の材料に、耐熱性プラスチックもしくは難燃性プラスチックを用いたことにより、圧縮機８、吸熱器１０、放熱器９を底ケース５に設置した状態で冷却サイクルをつなぐ配管１２ａ、１２ｂの溶接時おいて、溶接に伴って発生する熱が、底ケース５に伝わり、また、溶接バーナーの火が底ケース５に接触しても、底ケース５の熱変形や焦げつきを防ぐことができ、組立て時やサービスメンテナンス時の火災による災害を防ぐことができる。
【産業上の利用可能性】
【００７６】
以上のように、本発明にかかる空調ユニットは、ヒートポンプ装置を本体のダクト装置へ挿入して装着する構成とすることができ、ダクト装置を介して乾燥空気を循環させる構成を具備した乾燥装置、あるいは家庭用の洗濯乾燥機、さらには除湿機等にも利用できる。
【図面の簡単な説明】
【００７７】
【図１】本発明の実施の形態１における空調ユニットの概略斜視図
【図２】本発明の実施の形態１における空調ユニットの上ケースを透視した異なる角度からの概略斜視図
【図３】本発明の実施の形態１における空調ユニットの側面図
【図４】本発明の実施の形態１における空調ユニットを構成する底ケースの平面図
【図５】本発明の同実施の形態１における底ケースの要部の平面図
【図６】従来例を示す空調ユニットの概略斜視図
【符号の説明】
【００７８】
１    空調ユニット
２    熱交換ユニット部（ユニットケース）
３    送風ユニット部
４    上ケース
５    底ケース
５ａ  吸熱器設置部
５ｂ  放熱器設置部
５ｃ  圧縮機設置部
５ｄ  底面
５ｅ  位置決めリブ（表示部）
５ｇ  配置部
６    角部
７    傾斜部
８    圧縮機
９    放熱器
１０  吸熱器
１１  アキュームレータ
１２ａ  配管
１２ｂ  配管
１３  連結部（排出口）
１５  風路部（通風路）
１６  導入口
【図５】
2010057695.tif 000003
【図１】
2010057695.tif 000004
【図２】
2010057695.tif 000005
【図３】
2010057695.tif 000006
【図４】
2010057695.tif 000007
【図６】
2010057695.tif 000008